(57)【要約】【課題】この発明は、サービス情報を蓄積するためのメモリの容量の低減化が図れるデジタル放送受信機を提供することを目的とする。【解決手段】過去所定期間内の視聴履歴を記憶装置に蓄積させる手段、サービス情報を蓄積するための記憶手段、ならびに視聴履歴情報に基づいて、所定の分類項目毎に視聴量を算出し、その算出結果に応じて、分類項目毎のサービス情報の蓄積量を制御する手段を備えている。デジタル放送受信機が地上波デジタル放送を受信するデジタル放送受信機である場合には、上記分類項目は、例えば、地上波デジタル放送の各放送局である。【選択図】  図１
2004312161.tif 000002
【特許請求の範囲】
【請求項１】
過去所定期間内の視聴履歴を記憶装置に蓄積させる手段、
サービス情報を蓄積するための記憶手段、ならびに
視聴履歴情報に基づいて、所定の分類項目毎に視聴量を算出し、その算出結果に応じて、分類項目毎のサービス情報の蓄積量を制御する手段、
を備えていることを特徴とする請求項１に記載のデジタル放送受信機。
【請求項２】
デジタル放送受信機が地上波デジタル放送を受信するデジタル放送受信機であり、上記分類項目が、地上波デジタル放送の各放送局であることを特徴とする請求項１に記載のデジタル放送受信機。
【請求項３】
デジタル放送受信機がＣＳデジタル放送、ＢＳデジタル放送および地上波デジタル放送を受信するデジタル放送受信機であり、上記分類項目が、地上波デジタル放送の各放送局、ＣＳデジタル放送およびＢＳデジタル放送といった分類項目であることを特徴とする請求項１に記載のデジタル放送受信機。
【発明の詳細な説明】
【０００１】
【発明の属する技術分野】
この発明は、デジタル放送受信機に関する。
【０００２】
【従来の技術】
ＣＳデジタル放送、ＢＳデジタル放送、地上波デジタル放送等のデジタル放送を受信するデジタル放送受信機においては、番組案内ガイドを表示するためのＥＰＧ情報を含むサービス情報ＳＩを受信して蓄積しておく必要がある。しかしながら、全てのチャンネルに対するＥＰＧ情報を蓄積しようとすると、大容量のメモリが必要となる。
【０００３】
【発明が解決しようとする課題】
この発明は、サービス情報を蓄積するためのメモリの容量の低減化が図れるデジタル放送受信機を提供することを目的とする。
【０００４】
【課題を解決するための手段】
請求項１に記載の発明は、過去所定期間内の視聴履歴を記憶装置に蓄積させる手段、サービス情報を蓄積するための記憶手段、ならびに視聴履歴情報に基づいて、所定の分類項目毎に視聴量を算出し、その算出結果に応じて、分類項目毎のサービス情報の蓄積量を制御する手段を備えていることを特徴とする。
【０００５】
請求項２に記載の発明は、請求項１に記載のデジタル放送受信機において、デジタル放送受信機が地上波デジタル放送を受信するデジタル放送受信機であり、上記分類項目が、地上波デジタル放送の各放送局であることを特徴とする。
【０００６】
請求項３に記載の発明は、請求項１に記載のデジタル放送受信機において、デジタル放送受信機がＣＳデジタル放送、ＢＳデジタル放送および地上波デジタル放送を受信するデジタル放送受信機であり、上記分類項目が、地上波デジタル放送の各放送局、ＣＳデジタル放送およびＢＳデジタル放送といった分類項目であることを特徴とする。
【０００７】
【発明の実施の形態】
以下、図面を参照して、この発明を、ＣＳデジタル放送、ＢＳデジタル放送および地上波デジタル放送を受信できるデジタル放送受信機に適用した場合の実施の形態について説明する。
【０００８】
図１は、ＣＳデジタル放送、ＢＳデジタル放送および地上波デジタル放送を受信できるデジタル放送受信機の構成を示している。
【０００９】
地上波デジタル放送波は、地上波アンテナ１を介して地上波デジタル受信回路２に送られる。ＣＳデジタル放送波およびＢＳデジタル放送波は、アンテナ３を介してＢＳ、ＣＳデジタル受信回路４に送られる。
【００１０】
地上波デジタル受信回路２およびＢＳ、ＣＳデジタル受信回路４は、高周波処理および復調処理を行なうチューナ部、チューナ部によって得られたデジタル信号のうち暗号化されている信号をデスクランブルするデスクランブル回路、デスクランブル回路を介して送られてくるデータを、ＭＰＥＧ音声データ、ＭＰＥＧ映像データ、ＥＰＧ情報を含むサービス情報ＳＩに分離するＤＥＭＵＸ回路、ならびにＭＰＥＧ音声データおよびＭＰＥＧ映像データを復調して音声信号、映像信号を出力するＭＰＥＧデコーダを備えている。
【００１１】
地上波デジタル受信回路２は、ＭＰＥＧデコーダによって得られた映像信号および音声信号を第１のＡＶ信号（映像信号＋音声信号）として出力する。地上波デジタル受信回路２から得られた第１のＡＶ信号は、信号切替器５に送られる。
【００１２】
ＢＳ、ＣＳデジタル受信回路４は、ＭＰＥＧデコーダによって得られた映像信号および音声信号を第２のＡＶ信号（映像信号＋音声信号）として出力する。ＢＳ、ＣＳデジタル受信回路４から得られた第２のＡＶ信号は、信号切替器５に送られる。
【００１３】
システムコントローラ２０は、そのプログラム等を記憶するＲＯＭ３１、必要なデータを記憶するＲＡＭ３２およびサービス情報、視聴履歴情報等を記憶する不揮発性メモリ３３を備えている。
【００１４】
システムコントローラ２０は、地上波デジタル受信回路２およびＢＳ、ＣＳデジタル受信回路４内のＤＥＭＵＸ回路によって抽出されたサービス情報を、一旦、ＲＡＭ３２に蓄積した後、必要なサービス情報を不揮発性メモリ３３内のＳＩ蓄積部３３ａに蓄積する。また、システムコントローラ２０は、過去所定期間（例えば、１カ月）内の視聴履歴情報を不揮発性メモリ３３内の視聴履歴蓄積部３３ｂに蓄積する。
【００１５】
視聴履歴情報は、ある番組をユーザが視聴した場合には、当該放送に対応したネットワークＩＤ（ＢＳデジタル放送であるか、ＣＳデジタル放送であるか、地上波デジタル放送のいずれの放送局であるかを表す）、その視聴チャンネル、ならびに視聴した時刻および視聴時間からなる情報として蓄積される。
【００１６】
システムコントローラ２０には、リモコン送信機２３からのリモコン信号がリモコン受光器２４を介して入力される。システムコントローラ２０は、地上波デジタル受信回路２およびＢＳ、ＣＳデジタル受信回路４に選局のための情報等を送るとともに信号切替器５に受信モードに応じた切替信号を送る。受信モードには、地上波デジタル放送番組受信モード、ＢＳデジタル放送受信モードおよびＣＳデジタル放送受信モードがある。また、システムコントローラ２０は、番組案内画面、各種設定画面等をＣＲＴ８にオンスクリーン表示させるためのＯＳＤ制御信号を、ＯＳＤ表示回路１２に送る。ＯＳＤ表示回路１２は、オンスクリーン画像情報（ＯＳＤ信号）を、映像処理回路６に送る。
【００１７】
信号切替器５は、システムコントローラ２０から送られてきた切替信号に基づいて、第１および第２のＡＶ信号のうちの１つを選択し、選択したＡＶ信号に含まれている映像信号と音声信号とを出力する。
【００１８】
信号切替器５から出力された映像信号は、映像処理回路６に送られる。映像処理回路６は、信号切替器５から出力された映像信号とＯＳＤ表示回路１２から送られてきたＯＳＤ信号とを合成する。映像処理回路６から出力される映像信号は映像出力回路７を介してＣＲＴ８に送られる。信号切替器５から出力された音声信号は、音声処理回路９および音声出力回路１０を介してスピーカ１１に送られる。
【００１９】
ところで、サービス情報ＳＩの蓄積を行わない場合には、番組ガイドを表示する際に、サービス情報ＳＩの取得が必要となる。また、地上波デジタル放送においては、放送局毎に個別のサービス情報が送出されるため、視聴地域におけるサービス情報の取得は、その地域の放送局数分、必要となる。
【００２０】
この実施の形態では、システムコントローラ２０は、視聴履歴情報に基づいて、地上波デジタル放送における各放送局に対応した各チャンネル、ＢＳデジタル放送およびＣＳデジタル放送という分類項目毎に、視聴量の多い順番を求める。地上波デジタル放送における受信可能チャンネルをＣＨ１〜ＣＨ７で表すとすると、地上波デジタル放送におけるＣＨ１、ＣＨ２、…、ＣＨ６、ＣＨ７、ＢＳデジタル放送およびＣＳデジタル放送という分類項目毎に、視聴量の多い順番を求める。
【００２１】
そして、システムコントローラ２０は、視聴量の多い分類項目ほど、サービス情報の蓄積量を多くする。言い換えれば、視聴量の少ない類項目ほど、サービス情報の蓄積量を少なくする。例えば、視聴量の多い分類項目ほど、取得するＥＰＧ情報の量（例えば、何日先までのＥＰＧ情報を取得するかの日数）を多くする。このようにすることによって、不揮発性メモリ３３内のＳＩ蓄積部３３ａに蓄積されるサービス情報量を低減させる。
【００２２】
【発明の効果】
この発明によれば、サービス情報を蓄積するためのメモリの容量の低減化が図れるようになる。
【図面の簡単な説明】
【図１】デジタル放送受信機の構成を示すブロック図である。
【符号の説明】
２  地上波デジタル受信回路
４  ＢＳ、ＣＳデジタル受信回路
２０  システムコントローラ
３１  ＲＯＭ
３２  ＲＡＭ
３３  不揮発性メモリ
３３ａ  ＳＩ蓄積部
３３ｂ  視聴履歴蓄積部
【図１】
2004312161.tif 000003